Podtech/llm-jp-corpus-v4-ja_patent huggingface dataset:
【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】
第１の金属材料により形成された先端側部分と、前記第１の金属材料より剛性の高い第２の金属材料により形成された基端側部分と、前記先端側部分と前記基端側部分との間に設けられ、前記第１の金属材料と前記第２の金属材料との混合物により形成された中間部分とを備え、該中間部分は、先端側から他端側に向かって前記第１の金属材料含有率が低下しかつ前記第２の金属材料含有率が高くなる傾斜物性部を備えていることを特徴とするガイドワイヤ。
【請求項２】
前記傾斜物性部の前記第２の金属材料の含有率は、先端側から基端側に向かって段階的に高くなる請求項１に記載のガイドワイヤ。
【請求項３】
前記傾斜物性部の前記第２の金属材料の含有率は、先端側から基端側に向かって連続的に高くなる請求項１に記載のガイドワイヤ。
【請求項４】
前記中間部分と、前記先端側部分および前記基端側部分とは、溶接により接合されている請求項１に記載のガイドワイヤ。
【請求項５】
前記ガイドワイヤは、接合部を備えない一体物である請求項１に記載のガイドワイヤ。
【請求項６】
第１の金属材料により形成された先端側部分と、前記第１の金属材料より剛性の高い第２の金属材料により形成された基端側部分と、前記先端側部分と前記基端側部分との間に設けられ、前記第１の金属材料と前記第２の金属材料との混合物により形成された中間部分とを備えるガイドワイヤの製造方法であって、該製造方法は、前記第１の金属材料を用いて作製された先端側部分形成用線材および前記第２の金属材料を用いて作製された基端側部分形成用線材を準備する工程と、前記第１の金属材料粉末および前記第２の金属材料粉末を、一方側から他方側に向かって第１の金属材料粉末の含有率が高くなり、かつ前記第２の金属材料粉末の含有率が低くなるように型内に充填する金属粉末充填工程と、該金属粉末充填物を焼結して傾斜物性部を備える中間部分形成用部材を作製する工程と、該中間部分形成用部材の一方側への前記基端側部分形成用線材の接合および該中間部分形成用部材の他方側への前記先端側部分形成用線材の接合を行う接合工程とを備えることを特徴とするガイドワイヤの製造方法。
【請求項７】
前記金属粉末充填工程は、該充填物中における前記第１の金属材料の含有率が段階的に増加するとともに第２の金属材料の含有率が段階的に低下する複数の層を形成するように前記第１の金属材料粉末および前記第２の金属材料粉末を充填するものである請求項６に記載のガイドワイヤの製造方法。
【請求項８】
前記金属粉末充填工程は、該充填物中における前記第１の金属材料の含有率が連続的に増加するとともに第２の金属材料の含有率が連続的に低下するように前記第１の金属材料粉末および前記第２の金属材料粉末を充填するものである請求項６に記載のガイドワイヤの製造方法。
【請求項９】
第１の金属材料により形成された先端側部分と、前記第１の金属材料より剛性の高い第２の金属材料により形成された基端側部分と、前記先端側部分と前記基端側部分との間に設けられ、前記第１の金属材料と前記第２の金属材料との混合物により形成された中間部分とを備えるガイドワイヤの製造方法であって、該製造方法は、該ガイドワイヤを形成する金属粉体を含有する形成材料混練物を連続的に線状に押し出す形成材料混練物押出工程と、押し出された線状体を焼結する焼成工程とを備えるとともに、前記形成材料混練物押出工程は、前記第１の金属粉体を含有する材料を線状に押し出す先端側部分形成用材料押出期間と、前記第２の金属粉体を含有する材料を線状に押し出す基端側部分形成用材料押出期間と、前記先端側部分形成用材料押出期間と前記基端側部分形成用材料押出期間の間であって両期間と連続して行われる前記第１の金属粉末と前記第２の金属粉末を含有する材料を押し出す中間部分形成用材料押出期間を有するとともに、該中間部分形成用材料押出期間では、前記基端側部分形成用材料押出期間側に近づくに従って、中間部分形成用材料中の第１の金属粉体含有量が低下しかつ第２の金属粉体含有量が増加するように行うことを特徴とするガイドワイヤの製造方法。
【手続補正書】
【提出日】平成17年1月17日(2005.1.17)
【手続補正１】
【補正対象書類名】明細書
【補正対象項目名】特許請求の範囲
【補正方法】変更
【補正の内容】
【特許請求の範囲】
【請求項１】
ヒトミッドカインｍＲＮＡの部分ＲＮＡと、前記部分ＲＮＡに相補的なＲＮＡとからなる２本鎖のｓｉＲＮＡ。
【請求項２】
前記ｓｉＲＮＡの両末端は平滑である、請求項１のｓｉＲＮＡ。
【請求項３】
請求項１のｓｉＲＮＡの3'末端に、更にジヌクレオチドがオーバーハングしてなるｓｉＲＮＡ。
【請求項４】
前記ジヌクレオチドはジデオキシヌクレオチドである、請求項３のｓｉＲＮＡ。
【請求項５】
ｓｉＲＮＡの長さは１９〜２１塩基である、請求項1〜４のいずれかのｓｉＲＮＡ。
【請求項６】
ヒトにおけるミッドカイン発現を抑制する方法であって、請求項1〜５のいずれかのｓｉＲＮＡを用いる方法。
【手続補正２】
【補正対象書類名】明細書
【補正対象項目名】００１１
【補正方法】変更
【補正の内容】
【００１１】
（実施例１）siRNAの作成を行った。ヒトMKのmRNA（GenBank Accession No. Human BC011704: Tomomura M. et al.: J. Biol. Chem., 265: 10765-10770, 1990）の翻訳領域内から前述の配列選定法に基づいて設計したsiRNA４種をDharmacon社に依託し合成した。合成したsiRNA duplexは図１に示す如くであり、各siRNAのmRNAの標的部位は下記の如くである。
MK siRNA #1（mRNA標的部位：塩基配列２３１番目から２４９番目；GAAGGAGUUUGGAGCCGAC；GC含有量52％）、
MK siRNA #2（mRNA標的部位：塩基配列３２４番目から３４２番目；GAAGGCGCGCUACAAUGCU；GC含有量52％）、
MK siRNA #3（mRNA標的部位：塩基配列３９４番目から５１２番目；GCAAAGGCCAAAGCCAAGA；GC含有量47％）、
MK siRNA #4（mRNA標的部位：塩基配列２３７番目から２５５番目；GUUUGGAGCCGACUGCAAG；GC含有量52％）
【手続補正書】
【提出日】平成16年11月16日(2004.11.16)
【手続補正１】
【補正対象書類名】明細書
【補正対象項目名】０００２
【補正方法】変更
【補正の内容】
【０００２】
【従来の技術】
【特許文献１】特表２００１−５１８１４８号公報  
【特許文献２】特表２０００−５１７３６１号公報  
カーペットのバッキング加工は、カーペットの使用目的によって様々な加工方
法がとられており、カーペット原反の裏面にコンパウンドラテックスをロールコ
ーター等を用いて塗工し加熱乾燥する方法、熱可塑性樹脂を押し出し機から溶融
塗工し圧着する方法、熱可塑性樹脂の粉末をスキャッタリング塗工し加熱溶融さ
せて圧着する方法、あるいは、ＰＶＣ等のゾル状シートにカーペット原反を乗せ
、加熱し圧着する方法、などが採用されている。これらのバッキング方法におい
て、寸法安定性や硬さ調整、重量感、経済的効果を得るために、充填材が混入さ
れるのが一般的であり、充填材として炭酸カルシウム、水酸化マグネシウム、水
酸化アルミニウム、珪砂、硫酸バリウムの粉末状のものが使われる。
【手続補正２】
【補正対象書類名】明細書
【補正対象項目名】０００３
【補正方法】変更
【補正の内容】
【０００３】
フライアッシュを充填材として使用するカーペットのバッキング方法として、
特表２００１−５１８１４８号公報、特表２０００−５１７３６１号に開示され
ているが、いずれもポリウレタン樹脂に限られたバッキングであって、前記公報
にはポリマー形成反応に著しい影響を及ぼさない反応性ポリマー系において充填
材としてフライアッシュを使用することが望ましいと記載されており、フライア
ッシュを大量に混入させたバッキング材によるカーペットの一般的加工方法はい
まだ開示されていない。
【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】
【請求項１】  荷重を受ける荷重受け板と、
前記荷重受け板から荷重が伝達するように四方の対角に配置して正の出力をする第１センサ及び第３センサと、
前記荷重受け板から荷重が伝達するように四方の対角に配置して負の出力をする第２センサ及び第４センサと、
前記各センサからの各出力を、前記第１センサからの正の出力と前記第２センサからの負の出力との組合せ、前記第２センサからの負の出力と前記第３センサからの正の出力との組合せ、前記第３センサからの正の出力と前記第４センサからの負の出力との組合せ、前記第４センサからの負の出力と前記第１センサからの正の出力との組合せに選択切替する選択切替手段と、
前記選択切替手段で選択切替した前記各組合せの出力差を求める出力差変換手段と、
前記出力差変換手段で求めた前記各組合せの出力差を記憶する記憶部と、
前記記憶部に記憶した前記第１センサからの正の出力と前記第２センサからの負の出力との組合せの出力差及び前記第３センサからの正の出力と前記第４センサからの負の出力との組合せの出力差の比較に基づいて第１方向位置を求め、前記第２センサからの負の出力と前記第３センサからの正の出力との組合せの出力差及び前記第４センサからの負の出力と前記第１センサからの正の出力との組合せの出力差の比較に基づいて前記第１方向位置と直交する第２方向位置を求める重心位置演算部と、
前記重心位置演算部で求めた前記第１方向位置と前記第２方向位置とを出力する出力手段と、
を備えることを特徴とする重心位置測定装置。
【請求項２】  前記選択切替手段は、前記第１センサからの正の出力と前記第２センサからの負の出力との組合せ、前記第２センサからの負の出力と前記第３センサからの正の出力との組合せ、前記第３センサからの正の出力と前記第４センサからの負の出力との組合せ、前記第４センサからの負の出力と前記第１センサからの正の出力との組合せに順次選択切替することを特徴とする請求項１記載の重心位置測定装置。
【請求項３】  前記選択切替手段は、前記第１センサからの正の出力と前記第２センサからの負の出力との組合せ、前記第３センサからの正の出力と前記第４センサからの負の出力との組合せ、前記第２センサからの負の出力と前記第３センサからの正の出力との組合せ、前記第４センサからの負の出力と前記第１センサからの正の出力との組合せに順次選択切替することを特徴とする請求項１記載の重心位置測定装置。
【請求項４】  前記重心位置演算部は、座標ｘ、ｙ軸に対する前記第１センサの位置を（ｘ１、ｙ１）とし、座標ｘ、ｙ軸に対する前記第２センサの位置を（ｘ２、ｙ２）とし、座標ｘ、ｙ軸に対する前記第３センサの位置を（ｘ３、ｙ３）とし、座標ｘ、ｙ軸に対する前記第４センサの位置を（ｘ４、ｙ４）とし、前記第１センサからの正の出力と前記第２センサからの負の出力との組合せの出力差をｗＭ１とし、前記第２センサからの負の出力と前記第３センサからの正の出力との組合せの出力差をｗＭ２とし、前記第３センサからの正の出力と前記第４センサからの負の出力との組合せの出力差をｗＭ３とし、前記第４センサからの負の出力と前記第１センサからの正の出力との組合せの出力差をｗＭ４とし、座標ｘ、ｙ軸に対する重心位置を（Ｇｘ、Ｇｙ）とし、
【数１】
2004275280.tif 000001
で表す式と、
【数２】
2004275280.tif 000002
で表す式とを用いて、座標ｘ、ｙ軸に対する重心位置（Ｇｘ、Ｇｙ）を演算することを特徴とする請求項１乃至３のいずれか１項に記載の重心位置測定装置。
【請求項５】  前記記憶部に記憶した前記各組合せの出力差をすべて合算し総荷重を求める総荷重演算部を更に備えることを特徴とする請求項１乃至４のいずれか１項に記載の重心位置測定装置。
【請求項６】  前記出力手段は、前記総荷重演算部で求めた前記総荷重を更に出力することを特徴とする請求項５記載の重心位置測定装置。
【手続補正書】
【提出日】平成16年3月25日(2004.3.25)
【手続補正１】
【補正対象書類名】明細書
【補正対象項目名】０００３
【補正方法】変更
【補正の内容】
【０００３】
磁気流動学的（ＭＲ）流体及びエラストマーは、磁場が加えられるとその流動学的特性が急激に変化する「スマート」材料として知られている。ＭＲ流体は、オイル又は他の液体中に磁気的に分極可能なマイクロメートル規模の粒子が含まれる懸濁液である。図１に示すように、ＭＲ流体２が磁場に曝されると、流体６内に普通はランダムに配向している粒子４が磁力線の方向に粒子の鎖を形成する。粒子鎖は流体の見かけ粘度（流れ抵抗）を増大させる。ＭＲエラストマーは、熱硬化性弾性ポリマー又はゴム中に磁気的に分極可能なマイクロメートル規模の粒子が含まれる懸濁液である。エラストマー構造の剛性は、加える磁場の強度を変化させることにより剪断及び圧縮／引張り係数を変化させることにより制御される。ＭＲ流体及びエラストマーは、通常、数ミリ秒ほどの短時間でも磁場に曝されると構造化する。ＭＲ流体又はエラストマーの磁場に対する曝露を止めると、過程が逆戻りして、流体は低粘性状態に復帰し、又はエラストマーは低係数状態に復帰する。米国特許第５，５４７，０４９号では、構造要素に封入されたＭＲ流体について開示されている。
【特許文献１】米国特許出願第１０／２７３，６９１号
【特許文献２】米国特許第５，５４７，０４９号
【特許文献３】米国特許第６，５４６，６０２号
【特許文献４】米国特許第６，５９８，２７４号
【特許文献５】米国特許第６，１２９，９７０号
【特許文献６】米国特許第５，９４５，１９３号
【特許文献７】米国特許第４，７９４，０２８号
【特許文献８】米国特許第３，４６９，２８９号
【特許文献９】米国特許第３，４９０，１０７号
【手続補正書】
【提出日】平成17年7月4日(2005.7.4)
【手続補正１】
【補正対象書類名】特許請求の範囲
【補正対象項目名】全文
【補正方法】変更
【補正の内容】
【特許請求の範囲】
【請求項１】
呼吸回路用枝管であって、
第１の端部と、第２の端部と、これらの間に位置する呼吸用ガス経路とを備えた極薄肉の導管と、
前記導管の前記第１の端部に固定された第１のコネクタと、
前記導管の前記第２の端部に固定された第２のコネクタと、
前記導管の一端部から前記導管の他端部まで非蛇行経路に沿って前記極薄肉導管内に自由な状態で設けられ、前記第１のコネクタ及び前記第２のコネクタに接続された細長い補強部材と、を有し、
前記細長い補強部材は、その外周部から測定した断面積が、前記呼吸用導管のボアの断面積よりも１０％小さい、
ことを特徴とする呼吸回路用枝管。
【請求項２】
前記細長い補強部材は中空であり、前記中空の細長い補強部材は各端部が、前記第１のコネクタ及び前記第２のコネクタによって行き止まり状態で終端している、
請求項１に記載の呼吸回路用枝管。
【請求項３】
前記細長い補強部材は中空であり、該中空の細長い補強部材は、患者へのガス投与のための導管としては小径すぎるが、圧力測定又はフィードバック導管として用いるには十分に太い、
請求項１に記載の呼吸回路用枝管。
【請求項４】
前記細長い補強部材は、中実でほぼ円形の断面を有し、前記細長い補強部材は、２つの端部を有している、
請求項１に記載の呼吸回路用枝管。
【請求項５】
前記細長い補強部材は、正の温度係数の発熱体を含む、
請求項１ないし４の何れか１項に記載の呼吸回路用枝管。
【請求項６】
前記細長い補強部材は、抵抗発熱体を含む、
請求項１ないし４の何れか１項に記載の呼吸回路用枝管。
【請求項７】
前記細長い補強部材の長さは、前記導管の長さの１００．５％ないし１０５％である、
請求項１ないし６の何れか１項に記載の呼吸回路用枝管。
【請求項８】
前記導管は、螺旋タブを含み、
前記コネクタは、補助機器と連結するのに適した第１の端部と呼吸用導管と連結する第２の端部とを有し、
前記第１の端部と前記第２の端部との間には環状の肩が設けられ、
前記第２の端部は、軸線に沿って延び、ほぼ円形の断面を有し、
前記第２の端部は、外面に設けられ、呼吸用導管の前記螺旋リブとインターロック状態で係合する少なくとも１つの突起を有している、
請求項１ないし７の何れか１項に記載の呼吸回路用枝管。
【請求項９】
前記突起は、前記呼吸用導管の前記螺旋リブとの係合に適したピッチを備える雄ねじである、
請求項８に記載の呼吸回路用枝管。
【請求項１０】
前記肩部分は、押出し軸線を備えた固定用カラーを受け入れる環状凹部を有している、
請求項８又は９に記載の呼吸回路用枝管。
【請求項１１】
前記端部コネクタの前記第２の端部は、前記軸線にほぼ平行に設けられ前記細長い補強部材を受け入れる凹部を有している、
請求項８ないし１０の何れか１項に記載の呼吸回路用枝管。
【請求項１２】
前記固定用カラーは、前記押出し軸線にほぼ平行に設けられ前記細長い補強部材を受け入れる凹部を有している、
請求項１０に記載の呼吸回路用枝管。
【請求項１３】
前記細長い補強部材は、弾性であり、使用中、前記枝管の通常の撓み及び曲げの作用を受けても塑性変形しない、
請求項１ないし１２の何れか１項に記載の呼吸回路用枝管。
【請求項１４】
前記細長い補強部材の断面積は、３ｍｍ2ないし１２．５ｍｍ2である、
請求項１ないし１３の何れか１項に記載の呼吸回路用枝管。
【請求項１５】
前記細長い補強部材の最小曲げ剛性は、６９３Ｎｍｍ2ないし１１，０９６Ｎｍｍ2である、
請求項１ないし１４の１項に記載の呼吸回路用枝管。
【請求項１６】
前記導管を包囲し、第１の端部のところ及びその周りが前記第１のコネクタに固定され、その他端部のところ及びその周りが前記第２のコネクタに固定された編組シースを更に有している、
請求項１ないし１５の何れか１項に記載の呼吸回路用枝管。
【請求項１７】
前記シースは、ポリエチレンテレフタレートモノフィラメントから編組された編組管である、
請求項１６に記載の呼吸回路用枝管。
【請求項１８】
呼吸回路用枝管の製造方法であって、
第１の端部及び第２の端部を備えた極薄肉の呼吸用導管を準備する工程と、
第１の端部及び第２の端部を備えた細長い補強部材を、前記導管の一端部から前記導管の他端部まで非蛇行経路に沿って前記導管内に自由な状態で位置するよう配置する工程と、
第１の端部コネクタを前記呼吸用導管の第１の端部と前記細長い補強部材の第１の端部とに固定する工程と、
第２の端部コネクタを前記呼吸用導管の前記第２の端部と前記細長い補強部材の前記第２の端部とに固定する工程と、を備えている、
ことを特徴とする方法。
【請求項１９】
第１の端部と第２の端部とを備えた補強用メッシュを前記呼吸用導管の外部に被せる工程と、
第１の端部コネクタを、前記呼吸用導管の第１の端部と前記補強用メッシュの第１の端部とに固定する工程と、
第２の端部コネクタを、前記呼吸用導管の前記第２の端部と前記補強用メッシュの前記第２の端部とに固定する工程と、を更に備えている、
請求項１８記載の呼吸回路用枝管の製造方法。
【手続補正２】
【補正対象書類名】明細書
【補正対象項目名】０００６
【補正方法】変更
【補正の内容】
【０００６】
本発明は、一形態においては、呼吸回路用枝管であって、第１の端部と、第２の端部と、これらの間に位置する呼吸用ガス経路とを備えた極薄肉の導管と、前記導管の前記第１の端部に固定された第１のコネクタと、前記導管の前記第２の端部に固定された第２のコネクタと、前記導管の一端部から前記導管の他端部まで非蛇行経路に沿って前記極薄肉導管内に自由な状態で設けられ、前記第１のコネクタ及び前記第２のコネクタに接続された細長い補強部材と、を有し、前記細長い補強部材は、その外周部から測定した断面積が、前記呼吸用導管のボアの断面積よりも１０％小さい、ことを特徴とする呼吸回路用枝管である。
【手続補正書】
【提出日】平成16年2月20日(2004.2.20)
【手続補正１】
【補正対象書類名】明細書
【補正対象項目名】請求項６
【補正方法】変更
【補正の内容】
【請求項６】
請求項４又は５に記載の発酵酒からなる化粧料の製造方法であって、該化粧料は、化粧水、乳液、クリーム、洗顔ローション、スキンパックのうちの何れか一つであることを特徴とする発酵酒からなる化粧料の製造方法。
【手続補正書】
【提出日】平成17年3月4日(2005.3.4)
【手続補正１】
【補正対象書類名】明細書
【補正対象項目名】特許請求の範囲
【補正方法】変更
【補正の内容】
【特許請求の範囲】
【請求項１】
表皮基底細胞を、発生しうる神経細胞の形態学的、生理学的および／または免疫学的特徴を有する細胞に分化転換する方法であって、
（ａ）患者の皮膚に由来する増殖表皮基底細胞集団から表皮基底細胞を取得し、
（ｂ）該表皮基底細胞を、内因性ＢＭＰシグナル伝達活性に拮抗するのに有効な量の骨形成タンパク質（ＢＭＰ）のアンタゴニストに暴露し、
（ｃ）ＭＳＸ１またはＨＥＳ１の機能性遺伝子産物の発現を抑制するのに有効な量の、ヒトＭＳＸ１遺伝子またはヒトＨＥＳ１遺伝子の１つのセグメント、またはこれらのいずれかの相同的な非ヒト対応物を含む少なくとも１つのアンチセンスオリゴヌクレオチドを増殖培地に加え、こうして該表皮細胞を、長さが少なくとも約５０マイクロメートルの１つまたはそれ以上の形態学的な軸索突起様突起を含み、かつニューロフィラメントＭ、神経特異的チューブリン、神経特異的エノラーゼおよび微小管結合タンパク質２からなる群から選択される少なくとも１つの神経特異的抗原を発現する細胞に分化転換する、
工程を含む、方法。
【請求項２】
表皮基底細胞を取得することが、無カルシウム培地を使用して角化細胞から基底細胞を選択することからなる請求項１記載の方法。
【請求項３】
骨形成タンパク質（ＢＭＰ）のアンタゴニストは、フェチュイン（ｆｅｔｕｉｎ）、ノッギン（ｎｏｇｇｉｎ）、コルディン（ｃｈｏｒｄｉｎ）、グレムリン（ｇｒｅｍｌｉｎ）またはフォリスタチンである請求項１記載の方法。
【請求項４】
該アンチセンスオリゴヌクレオチドが、１つまたはそれ以上のチオ基で修飾されている請求項１記載の方法。
【請求項５】
レチノイド化合物、および神経成長因子またはニューロトロフィンを含む培地で分化転換した細胞を増殖させることをさらに含む請求項１記載の方法。
【請求項６】
ニューロトロフィンは、脳由来神経栄養因子（ＢＤＮＦ）、毛様体神経栄養因子（ＣＮＴＦ）、血小板由来成長因子（ＰＤＧＦ）、神経成長因子（ＮＧＦ）、ニューロトロフィン（ＮＴ）−３またはニューロトロフィン（ＮＴ）−４である請求項５記載の方法。
【請求項７】
請求項１の方法によって産生された発生しうる神経細胞の形態学的、生理学的および／または免疫学的特徴を有する分化転換した細胞。
【請求項８】
新規な神経成長因子を同定するための、表皮基底細胞から分化転換した細胞の使用方法であって、
（ａ）請求項１に記載の方法により、表皮基底細胞の集団を、発生しうる神経細胞に分化転換し、
（ｂ）分化転換した細胞をインビトロで培養し、
（ｃ）培養細胞をインビトロで、可能性ある神経成長因子に暴露し、および
（ｄ）細胞の生存または該細胞の形態学的または電気生理学的特性および／または分子生物学的性質に及ぼす、可能性ある神経成長因子の作用の存在または非存在を検出し、それによって、細胞の生存、細胞の形態学的または電気生理学的特性および／または分子生物学的性質を変化させる作用の存在が、その新規な神経成長因子の活性を指示する、
工程を含む、方法。
【請求項９】
可能性ある化学療法剤を同定するための、表皮基底細胞から分化転換した細胞の使用方法であって、
（ａ）請求項１に記載の方法により、表皮基底細胞の集団を、発生しうる神経細胞に分化転換し、
（ｂ）分化転換した細胞をインビトロで培養し、
（ｃ）培養細胞をインビトロで、可能性ある化学療法剤に暴露し、および
（ｄ）インビトロでの細胞の生存、または該細胞の形態学的または電気生理学的特性および／または分子生物学的性質に及ぼす、可能性ある神経増殖因子の作用の存在または非存在を検出し、それによって、細胞の生存、細胞の形態学的または電気生理学的特性および／または分子生物学的性質を変化させる作用の存在が、その化学療法剤の活性を指示する、
工程を含む、方法。
【請求項１０】
表皮基底細胞を、長さが少なくとも約５０マイクロメートルの１つまたはそれ以上の形態学的な軸索突起様突起を含み、かつニューロフィラメントＭ、神経特異的チューブリン、神経特異的エノラーゼおよび微小管結合タンパク質２からなる群から選択される少なくとも１つの神経特異的抗原を発現する細胞に変換するキットであって、
（Ａ）骨形成タンパク質（ＢＭＰ）のアンタゴニスト、および
（Ｂ）ヒトＭＳＸ１遺伝子の１つのセグメント、ヒトＨＥＳ１遺伝子の１つのセグメント、またはこれらのいずれかの相同的な非ヒト対応物を含む少なくとも１つのアンチセンスオリゴヌクレオチド、
を含む、キット。
【請求項１１】
被験体の表皮基底細胞の分化転換において（Ａ）と（Ｂ）を使用するための説明書をさらに含む請求項１０記載のキット。
【請求項１２】
骨形成タンパク質（ＢＭＰ）のアンタゴニストは、フェチュイン（ｆｅｔｕｉｎ）、ノッギン（ｎｏｇｇｉｎ）、コルディン（ｃｈｏｒｄｉｎ）、グレムリン（ｇｒｅｍｌｉｎ）またはフォリスタチンである請求項１０記載のキット。
【請求項１３】
レチノイド化合物、および神経成長因子またはニューロトロフィンをさらに含む請求項１０記載のキット。
【請求項１４】
ニューロトロフィンは、脳由来神経栄養因子（ＢＤＮＦ）、毛様体神経栄養因子（ＣＮＴＦ）、血小板由来成長因子（ＰＤＧＦ）、神経成長因子（ＮＧＦ）、ニューロトロフィン（ＮＴ）−３またはニューロトロフィン（ＮＴ）−４である請求項１３記載のキット。
【手続補正書】
【提出日】平成16年9月24日(2004.9.24)
【手続補正１】
【補正対象書類名】明細書
【補正対象項目名】請求項１
【補正方法】変更
【補正の内容】
【請求項１】
供給される被写界からの入射光を光学系で集光し、該光学系で集光した光を撮像手段で光電変換するとともに、光電変換により得られた信号電荷の全画素読出しにより撮影を行う固体撮像装置において、該装置は、
該装置の撮影条件の設定および前記撮影のタイミングの選択を操作する操作手段と、
該操作手段で設定した撮影条件および前記タイミングに応じて前記撮像手段に供給される入射光の露光光量を、前記入射光の透過断面積を表す絞り値と組み合せる際に設定した所定の絞り値に対する前記撮像手段の取込み開始／停止の設定を電気的に前記入射光の取込み時間として設定する第１の開閉設定手段および前記入射光の取込み時間を機械的に設定する第２の開閉設定手段により調節する光量調節手段と、
該光量調節手段を介して前記撮像手段に供給される入射光の取込み期間、および該入射光の光電変換により得られた信号電荷の読出しを行わせる駆動信号ならびに前記光量調節手段を前記絞り値に調節にする駆動信号を生成する駆動信号生成手段と、
前記撮像手段からの信号電荷に信号処理を施す信号処理手段と、
前記操作手段からの情報に応じて前記駆動信号生成手段および前記信号処理手段を制御する制御手段とを含み、
前記第１の開閉設定手段は、連続して２回撮影する場合、前記露光光量の調節において最初の露光時間を設定し、前記第２の開閉設定手段は、２回目の撮影終了のタイミングを決定していることを特徴とする固体撮像装置。
【手続補正書】
【提出日】平成17年4月26日(2005.4.26)
【手続補正１】
【補正対象書類名】明細書
【補正対象項目名】００１３
【補正方法】変更
【補正の内容】
【００１３】
（１２）  Ｒが、水素原子、低級アルキル基、低級アルコキシ、アリル、フェニル、カルボキシ、またはハロゲンであるか、ベンゼン環上の隣接する２つの炭素と一緒になってベンゼン環と縮合したベンゼン環を形成する、上記（１１）のマスキング剤。
（１３）  Ｒが、水素原子、低級アルキル、低級アルコキシまたはアリルである、上記（１１）のマスキング剤。
【手続補正２】
【補正対象書類名】明細書
【補正対象項目名】００２７
【補正方法】変更
【補正の内容】
【００２７】
化合物Ａの具体例としては、例えば、１，２−ジメトキシベンゼン、１，３−ジメトキシベンゼン、１，４−ジメトキシベンゼン等のジメトキシベンゼン、１，２，３−トリメトキシベンゼン、１，３，５−トリメトキシベンゼン、１，２，４−トリメトキシベンゼン等のトリメトキシベンゼン、１，２−ジメトキシ−３−メチルベンゼン、１，２−ジメトキシ−４−メチルベンゼン等の１，２−ジメトキシメチルベンゼン、１，３−ジメトキシ−２−メチルベンゼン、１，３−ジメトキシ−４−メチルベンゼン、１，３−ジメトキシ−５−メチルベンゼン等の１，３−ジメトキシメチルベンゼン、１，４−ジメトキシ−２−メチルベンゼン等の１，４−ジメトキシメチルベンゼン、１，２−ジメトキシ−３−エチルベンゼン、１，２−ジメトキシ−４−エチルベンゼン等の１，２−ジメトキシエチルベンゼン、１，３−ジメトキシ−２−エチルベンゼン、１，３−ジメトキシ−４−エチルベンゼン、１，３−ジメトキシ−５−エチルベンゼン等の１，３−ジメトキシエチルベンゼン、１，４−ジメトキシ−２−エチルベンゼン等の１，４−ジメトキシエチルベンゼン、１，２−ジメトキシ−３−プロピルベンゼン、１，２−ジメトキシ−４−プロピルベンゼン等の１，２−ジメトキシプロピルベンゼン、１，３−ジメトキシ−２−プロピルベンゼン、１，３−ジメトキシ−４−プロピルベンゼン、１，３−ジメトキシ−５−プロピルベンゼン等の１，３−ジメトキシプロピルベンゼン、１，４−ジメトキシ−２−プロピルベンゼン等の１，４−ジメトキシプロピルベンゼン、１，２，３−トリメトキシ−４−メチルベンゼン、１，２，３−トリメトキシ−５−メチルベンゼン等のトリメトキシメチルベンゼン、１，２，３−トリメトキシ−４−エチルベンゼン、１，２，３−トリメトキシ−５−エチルベンゼン等のトリメトキシエチルベンゼン、１，２，３−トリメトキシ−４−プロピルベンゼン、１，２，３−トリメトキシ−５−プロピルベンゼン等のトリメトキシプロピルベンゼン、テトラメトキシベンゼン、ジメトキシアリルベンゼン、ジメトキシカルボキシベンゼン、ジメトキシクロロベンゼン、ジメトキシブロモベンゼン、トリメトキシアリルベンゼン、トリメトキシカルボキシベンゼン、トリメトキシクロロベンゼン、トリメトキシブロモベンゼン、ジメトキシナフタレン、トリメトキシナフタレン等があげられる。これらの化合物は公知であり、市販品を利用してもよく、また公知の方法によって製造してもよい。
【手続補正書】
【提出日】平成17年5月26日(2005.5.26)
【手続補正１】
【補正対象書類名】明細書
【補正対象項目名】特許請求の範囲
【補正方法】変更
【補正の内容】
【特許請求の範囲】
【請求項１】
トラクタの後部に昇降可能に連結され、該トラクタからの動力により駆動される回転軸が軸支された作業機本体と、該作業機本体に対して作業幅を延長するように配備され、前記回転軸からの動力を受けて回転される延長回転軸が軸支された延長作業機体とからなり、前記回転軸端部と前記延長回転軸端部とが接続部を介して接続される状態と、前記回転軸と前記延長回転軸とを離脱して前記作業機本体に対して前記延長作業機体を折り畳む状態とを選択可能にし、前記作業機本体の側面に、露出された前記接続部を囲む障壁部を突設させたことを特徴とする折り畳み農作業機。
【請求項２】
前記障壁部は前記接続部の回りを囲む筒状体からなることを特徴とする折り畳み農作業機。
【請求項３】
前記筒状体は前記接続部の先端と間隔を開けて該接続部を囲むように設けられることを特徴とする請求項２記載の折り畳み農作業機。
【請求項４】
前記筒状体の側面又は底面には内部に貫通する隙間が形成されることを特徴とする請求項２又は３記載の折り畳み農作業機。
【手続補正２】
【補正対象書類名】明細書
【補正対象項目名】０００８
【補正方法】変更
【補正の内容】
【０００８】
請求項１に係る発明は、トラクタの後部に昇降可能に連結され、該トラクタからの動力により駆動される回転軸が軸支された作業機本体と、該作業機本体に対して作業幅を延長するように配備され、前記回転軸からの動力を受けて回転される延長回転軸が軸支された延長作業機体とからなり、前記回転軸端部と前記延長回転軸端部とが接続部を介して接続される状態と、前記回転軸と前記延長回転軸とを離脱して前記作業機本体に対して前記延長作業機体を折り畳む状態とを選択可能にし、前記作業機本体の側面に、露出された前記接続部を囲む障壁部を突設させたことを特徴とする。
【手続補正３】
【補正対象書類名】明細書
【補正対象項目名】０００９
【補正方法】変更
【補正の内容】
【０００９】
請求項２に係る発明は、請求項１に係る発明を前提として、前記障壁部は前記接続部の回りを囲む筒状体からなることを特徴とする。また、請求項３に係る発明は、請求項２に係る発明を前提にして、前記筒状体は前記接続部の先端と間隔を開けて該接続部を囲むように設けられることを特徴とする。
【手続補正４】
【補正対象書類名】明細書
【補正対象項目名】００１０
【補正方法】変更
【補正の内容】
【００１０】
請求項４に係る発明は、請求項２又は３に係る発明を前提として、前記筒状体の側面又は底面には内部に貫通する隙間が形成されることを特徴とする。
【手続補正５】
【補正対象書類名】明細書
【補正対象項目名】００１３
【補正方法】変更
【補正の内容】
【００１３】
また、作業機本体の側面に、露出された接続部の回りを囲む筒状体を突設させている。この筒状体は接続部に近づく草，わら等に対する障壁部になっている。この障壁部によって、草，わら等の接続部への絡みつきを防止することができる。また、筒状体が接続部周辺を囲っているので、安全性を向上させることができる。
【手続補正６】
【補正対象書類名】明細書
【補正対象項目名】００２６
【補正方法】変更
【補正の内容】
【００２６】
図５は、作業機本体４側のロータリ軸１０Ａ端部周辺を示す部分断面図である。作業機本体４における固定カバー部材１５の側面、つまり作業機本体４の側面には、筒状体２１が側面と垂直に突設されている。この筒状体２１は作業機本体４の側面に露出する接続部１１の周囲を囲うように配備されており、これによって、回転駆動する接続部１１に草やわら等が接触しないように障壁部を形成している。
【手続補正書】
【提出日】平成16年6月8日(2004.6.8)
【手続補正１】
【補正対象書類名】明細書
【補正対象項目名】特許請求の範囲
【補正方法】変更
【補正の内容】
【特許請求の範囲】
【請求項１】
パチンコ島の天板上に設置され吸殻の落下穴を備えた灰皿と、天板の下面で灰皿との対応箇所に設けられ、往復移動するチェーンを装着案内する搬送レール本体と、この前面に設けたカバー部とよりなる搬送レールと、吸殻を搬送する移送部材を装着したチェーンと、このチェーンを駆動するモーターよりなり、灰皿の落下穴と連通して形成した天板の穴と搬送レール本体の連通穴を介して搬送レール内に落下した吸殻を、搬送レールの端方向に設けた回収タンクに搬送する煙草の吸殻回収装置に於いて、搬送レール本体は、断面逆Ｌ形として、上部水平箇所を天板への取り付け部とし、垂下壁箇所には収容部を形成し、この収容部にチェーンガイド部を着脱自在に取り付け、チェーンガイド部はチェーンが摺動する凹部を上下に形成し、この凹部の内面にはチェーンの移動を案内する凸状を対向して形成して、チェーンを装着案内し、且つ、搬送レール本体の前面には断面Ｌ形のカバー部を取り外し自在に取り付けて、カバー部を取り外すことでチェーンガイド部の着脱が容易に行えるようにしたことを特徴とする煙草の吸殻回収装置の搬送レール。
【請求項２】
パチンコ島の天板上に設置され吸殻の落下穴を備えた灰皿と、天板の下面で灰皿との対応箇所に設けられ、往復移動するチェーンを装着する搬送レール本体と、この前面に設けたカバー部とよりなる搬送レールと、吸殻を搬送する移送部材を装着したチェーンと、このチェーンを駆動するモーターよりなり、灰皿の落下穴と連通して形成した天板の穴と搬送レール本体の挿通穴を介して搬送レール内に落下した吸殻を、搬送レールの端方向に設けた回収タンクに搬送する煙草の吸殻回収装置に於いて、搬送レール本体は、断面逆Ｌ形として上部水平箇所を天板への取り付け部とし、垂下壁箇所はチェーンを装着案内し、且つ、断面Ｌ形としたカバー部の下端部に係止部を設け、この係止部を搬送レール本体の垂下壁箇所の下端部に設けた受け部に挿入して搬送レール本体の前面に開閉自在に取り付け、メンテナンスが容易に行えるようにしたことを特徴とする煙草の吸殻回収装置の搬送レール。
【請求項３】
チェーンガイド部を搬送レール本体に取り付けるにあたり、チェーンガイド部の上下外側面と搬送レール本体の収容部の上下内側面を位置決めの基準面として相互が嵌合するように取り付けてズレ防止をはかることを特徴とする請求項１に記載の煙草の吸殻回収装置の搬送レール。
【請求項４】
チェーンガイド部を搬送レール本体に取り付けるにあたり、チェーンガイド部の背面に設けた凹部の上下内側面と、搬送レール本体に設けた凸部の上下外側面を位置決めの基準面として相互が嵌合するように取り付けてズレ防止をはかることを特徴とする請求項１に記載の煙草の吸殻回収装置の搬送レール。
【請求項５】
チェーンガイド部を搬送レール本体に取り付けるにあたり、チェーンガイト部の外側の上下幅を、搬送レール本体のチェーンガイド部を収容する箇所の上下幅より狭く形成し、且つ、チェーンガイド部の下面には凸部を形成し、搬送レール本体の、この凸部との対応箇所には凹部を設けて、チェーンガイド部を搬送レール本体内に水平向きに挿入して、ついで落下して凹部凸部の相互を嵌合させ、チェーンガイド部の上部外側面の落下間隙にスペーサーを係止して着脱自在にとりつけることを特徴とする請求項１に記載の煙草の吸殻回収装置の搬送レール。
【請求項６】
チェーンガイド部は、搬送レール本体に収容した状態で、チェーンが摺動する上下の凹部間にビスで搬送レール本体に止着して着脱自在に取り付けたことを特徴とする請求項１、請求項３、請求項４に記載の煙草の吸殻回収装置の搬送レール。
【請求項７】
カバー部は断面Ｌ形の下端部に鉤形の係止部を形成し、この係止部が搬送レール本体の断面逆Ｌ形の下端部に設けた受け部の内側に位置するようにして受け部に挿入して、カバー部が開閉自在となるようにしたことを特徴とする請求項２に記載の煙草の吸殻回収装置の搬送レール。
【請求項８】
カバー部は断面Ｌ形の下端部に鉤形の係止部を形成し、この係止部が搬送レールの本体の断面Ｌ形の下端部に設けた受け部の外側に位置するようにして受け部に挿入して、カバー部が開閉自在となるようにしたことを特徴とする請求項２に記載の煙草の吸殻回収装置の搬送レール。
【手続補正書】
【提出日】平成17年6月29日(2005.6.29)
【手続補正１】
【補正対象書類名】明細書
【補正対象項目名】０００６
【補正方法】変更
【補正の内容】
【０００６】
また、このような原理を応用したシロアリ監視駆除装置としては、特表２００１−５２０５１７号公報に記載されたシロアリ監視駆除装置および監視駆除方法が提案されている。
図１２に示したように、このシロアリ監視駆除装置１００は、略円筒形状のハウジング１０２とその内部に収容した、例えば、木などの監視装置（餌部材）１０４を収容するとともに、この監視装置（餌部材）１０４の上方に、外側カップ１０６の内部に食毒剤を含浸させた害虫駆除部材１０８からなる害虫誘引装置１１０を配置している。そして、これらの監視装置（餌部材）１０４、害虫誘引装置１１０が、取り出し手段１１２、１１４で、ハウジング１０２内に取り出しできるように構成されている。そして、害虫がハウジング１０２の外側の位置から、ハウジング１０２の内側へ接近することができるように、ハウジング１０２の側壁には、害虫が通過することを可能な大きさの開口１２０が形成されている。
【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
計測空間を挟んで同心円状に垂直方向に対向配置された一対の上側磁石及び下側磁石と、前記上側磁石と前記下側磁石の外縁部に垂直方向に渡して設けられ前記上側磁石を支える一対の支柱とからなるガントリーを有する磁気共鳴イメージング装置において、
前記一対の支柱は、前記上側磁石と前記下側磁石の中心軸を挟んで対称に配置され、かつ該一対の支柱のうち一方の支柱は他方の支柱よりも断面積が小さく形成され、
被検体が載置される寝台の天板を前記計測空間に挿入する挿入方向が、前記一対の支柱を結ぶ直線に対して鋭角又は鈍角方向に設定されてなる磁気共鳴イメージング装置。
【請求項２】
前記天板の挿入方向が、前記断面積が小さく形成された支柱側に傾けて設定されてなることを特徴とする請求項1に記載の磁気共鳴イメージング装置。
【請求項３】
前記天板の挿入方向が、前記ガントリーに設けられた前記寝台の固定手段により設定されることを特徴とする請求項１又は２に記載の磁気共鳴イメージング装置。
【請求項４】
前記固定手段は、前記ガントリーの外縁部に沿って移動可能に設けられ、前記寝台の接続部と接続されて該寝台の位置を決める寝台固定部を有することを特徴とする請求項３に記載の磁気共鳴イメージング装置。
【請求項５】
前記断面積が小さく形成された支柱は、前記一対の支柱を結ぶ直線に対して直交する方向の支柱幅が、他方の支柱の同一方向の支柱幅の１／２以下であることを特徴とする請求項１乃至３のいずれかに記載の磁気共鳴イメージング装置。
【請求項６】
前記一対の支柱中心間を結ぶ直線に直交し、前記一対の磁石の中心を通る直線方向と、前記天板の挿入方向とのなす角度が１５°乃至４５°、好ましくは２５°乃至３５°であることを特徴とする請求項１乃至４のいずれかに記載の磁気共鳴イメージング装置。
【請求項７】
前記断面積の小さい支柱は、略矩形の断面を有し、該断面の長辺方向が前記磁石の径方向となる形状を有することを特徴とする請求項１乃至６のいずれかに記載の磁気共鳴イメージング装置。
【請求項８】
前記断面積の大きい支柱は、断面形状が前記磁石の中心に向かって先すぼみのテーパ状に形成されてなることを特徴とする請求項１乃至７のいずれかに記載の磁気共鳴イメージング装置。
【手続補正２】
【補正対象書類名】明細書
【補正対象項目名】００１１
【補正方法】変更
【補正の内容】
【００１１】
【課題を解決するための手段】
本発明は、計測空間を挟んで同心円状に垂直方向に対向配置された一対の上側磁石及び下側磁石と、前記上側磁石と前記下側磁石の外縁部に垂直方向に渡して設けられ前記上側磁石を支える一対の支柱とからなるガントリーを有する磁気共鳴イメージング装置において、前記一対の支柱は、前記上側磁石と前記下側磁石の中心軸を挟んで対称に配置され、かつ該一対の支柱のうち一方の支柱は他方の支柱よりも断面積が小さく形成され、被検体が載置される寝台の天板を前記計測空間に挿入する挿入方向が、前記一対の支柱を結ぶ直線に対して鋭角又は鈍角方向に設定されてなる構成とすることにより、上述した課題を解決する。
【手続補正書】
【提出日】平成17年6月17日(2005.6.17)
【手続補正１】
【補正対象書類名】明細書
【補正対象項目名】特許請求の範囲
【補正方法】変更
【補正の内容】
【特許請求の範囲】
【請求項１】
表面に図柄が付された無端状ベルトを周回させるように構成するとともに、無端状ベルトの一部を視認できるように表示窓が設けられ、当該表示窓から前記図柄を視認できるようにした遊技機において、
遊技者に、所定のタイミングで情報を付与する情報付与手段を備え、
前記情報付与手段を、遊技機正面からみて、前記表示窓と異なる位置、かつ、前記無端状ベルトの手前側において当該無端状ベルトの周回領域に重複する位置に配置したことを特徴とする遊技機。
【請求項２】
表面に図柄が付された無端状ベルトを周回させるように構成するとともに、無端状ベルトの一部を視認できるように表示窓が設けられ、当該表示窓から前記図柄を視認できるようにした遊技機において、
遊技者に、所定のタイミングで情報を付与する情報付与手段を備え、
前記情報付与手段を、遊技機正面からみて、前記無端状ベルトの手前側において当該無端状ベルトの周回領域に含まれるように配置したことを特徴とする遊技機。
【請求項３】
前記無端状ベルトを遊技機本体の奥行き方向にみて扁平状に周回させたことを特徴とする請求項１又は２記載の遊技機。
【請求項４】
前記情報付与手段を平板状に形成し、遊技機本体の奥行き方向にみて肉薄となるように配置したことを特徴とする請求項１乃至３のいずれかに記載の遊技機。
【請求項５】
前記無端状ベルトの情報付与手段との非重複領域において、当該無端状ベルトを手前側に凸となるように周回させ、その凸となる部分に対応して前記表示窓を設けたことを特徴とする請求項１乃至４のいずれかに記載の遊技機。
【請求項６】
情報付与手段は、電気的表示装置であることを特徴とする請求項１乃至５のいずれかに記載の遊技機。
【手続補正書】
【提出日】平成17年7月1日(2005.7.1)
【手続補正１】
【補正対象書類名】明細書
【補正対象項目名】特許請求の範囲
【補正方法】変更
【補正の内容】
【特許請求の範囲】
【請求項１】
それぞれの撮影条件にて被験者の画像を複数撮影する撮影手段と、
撮影された各画像にインデックスを付加して記憶する画像記憶手段と、
これらの画像を表示する表示手段と、
前記表示手段よって表示すべき画像のインデックスを記憶するインデックス記憶手段と、
前記インデックス記憶手段のインデックスに対応する画像データを前記画像記憶手段から読み出して前記表示手段の表示領域に表示させる表示制御手段と、
前記インデックス記憶手段に記憶されるインデックスの変更を指示する変更指示手段と、
前記変更指示に応じて前記インデックスを変更するインデックス変更手段とを備えることを特徴とするＭＲＩ装置。
【請求項２】
前記インデックス記憶手段は、複数の画像群に対応した複数のインデックスを記憶し、前記表示手段は、前記複数の画像群に対応する複数の表示領域を有することを特徴とする請求項１記載のＭＲＩ装置。
【請求項３】
前記表示領域もしくは前記表示領域の個数を変更するための領域変更指示手段を備えたことを特徴とする請求項２記載のＭＲＩ装置。
【請求項４】
前記インデックス変更手段は、前記変更指示手段の変更指示に応じて、前記インデックス記憶手段の複数のインデックスを変更することを特徴とする請求項２記載のＭＲＩ装置。
【請求項５】
前記表示制御手段は、前記インデックス記憶手段に、複数の画像群のそれぞれにおいて最初に撮影された先頭画像に対応するインデックスを初期設定し、
前記表示手段には複数の先頭画像を並べて初期表示することを特徴とする請求項２記載のＭＲＩ装置。
【請求項６】
前記変更指示手段としてマウスを用い、前記インデックス変更手段は、操作者によるマウスの移動距離に基づいて前記インデックスの変化分を計算し、この計算結果に基づいて前記インデックス記憶手段に記憶されているインデックスを更新することを特徴とする請求項１記載のＭＲＩ装置。
【請求項７】
前記インデックス変更手段は、操作者によるマウスの移動方向および移動距離に基づいて前記インデックスの変化分を計算し、この計算結果に基づいて前記インデックス記憶手段に記憶されているインデックスを更新することを特徴とする請求項１記載のＭＲＩ装置。
【請求項８】
予め取得された画像群に所定の順序でインデックスを付加して記憶する画像記憶手段と、記憶された画像群から所望の画像を読み出して表示装置に表示する表示手段を有する画像表示装置において、
前記表示装置が表示すべき画像のインデックスを記憶するインデックス記憶手段と、
操作者によって指示された前記インデックス記憶手段が記憶するインデックスの更新指示に応じて前記インデックスを更新するインデックス更新手段とを備え、
操作者の更新指示に応じて前記画像記憶手段から前記インデックス更新手段によって更新されたインデックスに対応する画像を選択的に読み出して前記表示手段に表示することを特徴とする画像表示装置。
【手続補正２】
【補正対象書類名】明細書
【補正対象項目名】０００１
【補正方法】変更
【補正の内容】
【０００１】
【発明の属する技術分野】
本発明はＭＲＩ装置（磁気共鳴映像装置）および画像表示装置に関する。
【手続補正３】
【補正対象書類名】明細書
【補正対象項目名】０００８
【補正方法】変更
【補正の内容】
【０００８】
【課題を解決するための手段】
上記課題を解決するために、本発明の請求項１に係る発明は、それぞれの撮影条
件にて被験者の画像を複数撮影する撮影手段と、撮影された各画像にインデックス
を付加して記憶する画像記憶手段と、これらの画像を表示する表示手段と、前記表
示手段よって表示すべき画像のインデックスを記憶するインデックス記憶手段と、
前記インデックス記憶手段のインデックスに対応する画像データを前記画像記憶手
段から読み出して前記表示手段の表示領域に表示させる表示制御手段と、前記イン
デックス記憶手段に記憶されるインデックスの変更を指示する変更指示手段と、前
記変更指示に応じて前記インデックスを変更するインデックス変更手段とを備える
ことを特徴とする。
【手続補正４】
【補正対象書類名】明細書
【補正対象項目名】０００９
【補正方法】変更
【補正の内容】
【０００９】
また、本発明の請求項８に係る発明は、
予め取得された画像群に所定の順序でインデックスを付加して記憶する画像記憶手
段と、記憶された画像群から所望の画像を読み出して表示装置に表示する表示手段を
有する画像表示装置において、前記表示装置が表示すべき画像のインデックスを記憶するインデックス記憶手段
と、操作者によって指示された前記インデックス記憶手段が記憶するインデックス
の更新指示に応じて前記インデックスを更新するインデックス更新手段とを
備え、操作者の更新指示に応じて前記画像記憶手段から前記インデックス更新手段によ
って更新されたインデックスに対応する画像を選択的に読み出して前記表示手段
に表示することを特徴とする。
【手続補正５】
【補正対象書類名】明細書
【補正対象項目名】００７３
【補正方法】変更
【補正の内容】
【００７３】
さらに第１および第２の実施の形態において画像表示装置に備えられた表示部
および入力部は通常のＭＲＩ撮影に使用する表示部および入力部に対して独立に
構成したが、兼用して用いてもよい。
以上述べたように、上記実施の形態によればシリーズ単位で記憶された画像インデック
スに基づいて、表示すべき画像をＭＲＩ装置本体内の画像メモリから直接読み出
すことができるため、短時間での表示が可能となる。さらに画像上でマウスを移
動することによって画像の更新ができ、画像観察と画像更新作業が同一視野で行
えるため、操作者の画像スクリーニングにおける疲労を軽減できるＭＲＩ装置お
よび画像表示装置を提供できる。
【手続補正６】
【補正対象書類名】明細書
【補正対象項目名】００７４
【補正方法】変更
【補正の内容】
【００７４】
【発明の効果】
以上述べたように、本発明によれば記憶された画像インデックスに基づいて、
表示すべき画像を短時間で表示することが可能となる。
【手続補正書】
【提出日】平成17年1月6日(2005.1.6)
【手続補正１】
【補正対象書類名】明細書
【補正対象項目名】請求項１
【補正方法】変更
【補正の内容】
【請求項１】
炊飯器の蓋の下面に着脱自在に取付けられた放熱板セットの有無を検知し、該放熱板セットの取付け忘れを検知した際に所要の報知を行うようにした炊飯器の放熱板セット検知装置において、機械的な検知スイッチを上記蓋内部に設けるとともに、その検知スイッチの作動アームに対向した上記蓋の一部に穴を設け、その穴に上記作動アームの押圧部材を上下動自在に挿通し、該押圧部材を気密を保持して挿通する気密保持手段と、該押圧部材を下向きに付勢する付勢手段を設け、上記放熱板セットの取付け時に該押圧部材を押上げて上記検知スイッチを作動させることを特徴とする炊飯器の放熱板セット検知装置。
【手続補正２】
【補正対象書類名】明細書
【補正対象項目名】０００８
【補正方法】変更
【補正の内容】
【０００８】
【課題を解決するための手段】
上記の課題を解決するために、この発明は、炊飯器の蓋の下面に着脱自在に取付けられた放熱板セットの有無を検知し、該放熱板セットの取付け忘れを検知した際に所要の報知を行うようにした炊飯器の放熱板セット検知装置において、機械的な検知スイッチを上記蓋内部に設けるとともに、その検知スイッチの作動アームに対向した上記蓋の一部に穴を設け、その穴に上記作動アームの押圧部材を上下動自在に挿通し、該押圧部材を気密を保持して挿通する気密保持手段と、該押圧部材を下向きに付勢する付勢手段を設け、上記放熱板セットの取付け時に該押圧部材を押上げて上記検知スイッチを作動させるようにしたものである。
【手続補正書】
【提出日】平成17年6月20日(2005.6.20)
【手続補正１】
【補正対象書類名】明細書
【補正対象項目名】０００２
【補正方法】変更
【補正の内容】
【０００２】
【従来の技術】
いわゆるコンピュータゲームには、たとえばアクションＲＰＧ（Role Playing Games）系のゲームがある。アクションＲＰＧ系のゲームでは、画面上にゲームキャラクタが登場し、アクション場面などにおいては敵のキャラクタを倒すことで各種の対戦装備や戦闘能力などといったゲームアイテムを手に入れることができる。
【手続補正２】
【補正対象書類名】明細書
【補正対象項目名】０００４
【補正方法】変更
【補正の内容】
【０００４】
従来、獲得した複数のゲームアイテムの中から所望のゲームアイテムを装備してゲームキャラクタをカスタマイズする方法としては、種々の方法が提案されている。
【手続補正３】
【補正対象書類名】明細書
【補正対象項目名】０００６
【補正方法】変更
【補正の内容】
【０００６】
【発明が解決しようとする課題】
しかしながら、上記の従来のゲーム装置では、ゲームアイテムを選択可能としつつも、ユーザがゲームアイテムを選択すると、選択されたゲームアイテムの能力が単純に組み合わされてゲームキャラクタの能力特性がゲームアイテムの種類や数に応じて一義的に定まるようにプログラミングされているので、ゲームキャラクタの能力特性がある程度ワンパターン化され、ゲームアイテムを選択できる点にゲーム性としての面白さがそんなになかった。
【手続補正４】
【補正対象書類名】明細書
【補正対象項目名】００３２
【補正方法】変更
【補正の内容】
【００３２】
アクション画面の表示中には、敵のキャラクタＢ１，Ｂ２を倒すことで各種の対戦装備や戦闘能力などといったゲームアイテムを手に入れることができる。